(57)【要約】【課題】ＩＥＥＥ１３９４シリアルバスに接続されるセットトップボックス（ＳＴＢ）において、ハードディスクレコーダ（ＡＶＨＤＤ）への録画時に、エントリディスクリプタに番組情報を記録できなかった場合でも、後からエントリディスクリプタに番組情報を記録できるようにする。【解決手段】ＡＶＨＤＤのエントリディスクリプタから、その時点でＡＶＨＤＤにおいて再生中の番組について、有効な番組情報を読み取ることができなかったときに（Ｓ４でＮＯ）、ＡＶＨＤＤから送信された、上記の再生中の番組を含むストリームデータより、このストリームデータ中のＥＩＴに含まれる、再生中の番組に関する番組名、開始時間等の番組情報を取得して（Ｓ５）、この番組情報をＡＶＨＤＤのエントリディスクリプタに書き込む（Ｓ６）。【選択図】図５
2006134467.tif 000002
【特許請求の範囲】
【請求項１】
ＩＥＥＥ１３９４用の制御コマンドの送受信が可能なハードディスクレコーダとＩＥＥＥ１３９４シリアルバスを介して接続され、
前記ハードディスクレコーダに録画されている番組の再生の指示操作を含む、前記ハードディスクレコーダ及び自機に対する各種指示操作を行うための操作手段と、
前記ハードディスクレコーダとの間でＩＥＥＥ１３９４用の制御コマンドとその応答信号の送受信、及びストリームデータの送受信を行うためのＩＥＥＥ１３９４インタフェースとを備えたＩＥＥＥ１３９４シリアルバスに接続されるセットトップボックスにおいて、
前記操作手段を用いてユーザにより前記ハードディスクレコーダに録画されている番組の再生の指示操作がなされたときに、前記ＩＥＥＥ１３９４インタフェースを介して前記ハードディスクレコーダのオブジェクトエントリディスクリプタ（以下、エントリディスクリプタと略す）から、その時点で前記ハードディスクレコーダにおいて再生中の番組に関する番組名、開始時間等の番組情報を読み取る番組情報読取手段と、
前記番組情報読取手段により有効な番組情報を読み取ることができたか否かを判定する判定手段と、
前記判定手段により有効な番組情報を読み取ることができなかったと判定されたときに、前記ハードディスクレコーダから送信された、前記再生中の番組を含むストリームデータから、このストリームデータ中のＥＩＴ（Event Imformation Table）に含まれる、前記再生中の番組に関する番組名、開始時間等の番組情報を取得する番組情報取得手段と、
前記番組情報取得手段により取得した番組情報を、前記ハードディスクレコーダのエントリディスクリプタに書き込む番組情報書込手段とをさらに備えたことを特徴とするＩＥＥＥ１３９４シリアルバスに接続されるセットトップボックス。
【請求項２】
ＩＥＥＥ１３９４用の制御コマンドの送受信が可能なハードディスクレコーダ又はＤＶＤレコーダ（以下、ディスク型録画装置という）とＩＥＥＥ１３９４シリアルバスを介して接続され、
前記ディスク型録画装置に録画されている番組の再生の指示操作を含む、前記ディスク型録画装置及び自機に対する各種指示操作を行うための操作手段と、
前記ディスク型録画装置との間でＩＥＥＥ１３９４用の制御コマンドとその応答信号の送受信、及びストリームデータの送受信を行うためのＩＥＥＥ１３９４インタフェースとを備えたＩＥＥＥ１３９４シリアルバスに接続されるコントローラ機器において、
前記ＩＥＥＥ１３９４インタフェースを介して前記ディスク型録画装置のオブジェクトエントリディスクリプタ（以下、エントリディスクリプタと略す）から、前記ディスク型録画装置に録画されている番組に関する番組名、開始時間等の番組情報を読み取る番組情報読取手段と、
前記ディスク型録画装置に録画されている番組の中に、前記番組情報読取手段により有効な番組情報を読み取ることができなかった番組がある場合に、前記ディスク型録画装置から送信された、前記番組情報を読み取ることができなかった番組を含むストリームデータから、該番組情報を読み取ることができなかった番組に関する番組名、開始時間等の番組情報を取得する番組情報取得手段と、
前記番組情報取得手段により取得した番組情報を、前記ディスク型録画装置のエントリディスクリプタに書き込む番組情報書込手段とをさらに備えたことを特徴とするＩＥＥＥ１３９４シリアルバスに接続されるコントローラ機器。
【請求項３】
前記番組情報取得手段は、前記ディスク型録画装置より送信された、前記番組情報を読み取ることができなかった番組を含むストリームデータ中のＥＩＴ（Event Imformation Table）から、該番組情報を読み取ることができなかった番組に関する番組名、開始時間等の番組情報を取得することを特徴とする請求項２に記載のＩＥＥＥ１３９４シリアルバスに接続されるコントローラ機器。
【発明の詳細な説明】
【技術分野】
【０００１】
本発明は、ＩＥＥＥ１３９４用のハードディスクレコーダ（いわゆるＡＶＨＤＤ）とＩＥＥＥ１３９４シリアルバスを介して接続可能なセットトップボックス、ディジタルテレビジョン受像機等のコントローラ機器に関する。
【背景技術】
【０００２】
近年、ＩＥＥＥ１３９４シリアルバスケーブルを使用して、セットトップボックスやディジタルテレビジョン受像機等のコントローラ機器と接続されるハードディスクレコーダ（いわゆるＡＶＨＤＤ）が増えてきた。この種のハードディスクレコーダのコントローラ機器は、ディジタルテレビジョン放送の番組をハードディスクレコーダに録画させる際に、ハードディスクレコーダに対して、ユーザにより指定された番組を含むストリームデータを録画するように指示すると共に、このストリームデータ中のＥＩＴ（Event Imformation Table）から、録画する番組の番組名、開始時間等の番組情報を読み取って、この番組情報をハードディスクレコーダのオブジェクトエントリディスクリプタ（以下、エントリディスクリプタと略す）に書き込む。
【０００３】
ところが、Ｄ−ＶＨＳ（Data-Video Home System）形式のビデオテープに一旦録画された番組を、ハードディスクレコーダのＨＤＤにダビングする場合には、上記の番組情報をハードディスクレコーダのエントリディスクリプタに書き込むことができない。何故なら、Ｄ−ＶＨＳ形式のビデオテープ自体に、番組情報を記録するためのエリア（ハードディスクレコーダのエントリディスクリプタに相当するエリア）が存在せず、Ｄ−ＶＨＳ形式のビデオテープから番組情報を取得することができないからである。また、上記の場合以外にも、単純に番組情報のエントリディスクリプタへの書き込みに失敗したために、ハードディスクレコーダのエントリディスクリプタに番組情報を記録できない場合がある。このように、ハードディスクレコーダに録画された番組の番組情報をエントリディスクリプタに記録できなかった場合には、ユーザが、コントローラ機器側からハードディスクレコーダに録画された番組のリスト（番組リスト）を表示した際に、該当の番組についての番組情報を番組リスト上に表示することができないため、番組リスト上の番組情報に基づいて番組の識別を行うことができないという問題があった。
【０００４】
ところで、一般のハードディスクレコーダの分野において、番組の変更を自動的に検出して、番組毎に作成したタイトルを記録するようにしたものが知られている（特許文献１参照）。また、この種の装置における録画内容の表示方法において、一つの画面に表示可能な番組リストに可及的に多くのタイトルを表示することができるようにしたものが知られている（特許文献２参照）。さらにまた、この種の記録装置の分野において、ユーザが書き換え可能なタイトル詳細情報の初期値として、タイトル生成の時刻や日付、チャンネル情報等よりなる文字列を設定するようにしたものが知られている（特許文献３参照）。しかし、特許文献１乃至３の発明では、上記の問題を解決することはできない。
【特許文献１】特開２００３−２３００８０号公報
【特許文献２】特開２００３−１１６０８４号公報
【特許文献３】特開２００１−１６７５６４号公報
【発明の開示】
【発明が解決しようとする課題】
【０００５】
本発明は、上記の問題を解決するためになされたものであり、ハードディスクレコーダへの録画時に、ハードディスクレコーダのエントリディスクリプタに番組情報を記録できなかった場合でも、後から簡単にエントリディスクリプタに番組情報を記録できるようにして、ユーザが、コントローラ機器側からハードディスクレコーダに録画された番組のリストを表示した際に、録画されている全ての番組の番組情報を番組リスト上に表示して、ユーザが番組リスト上の番組情報に基づいて番組の識別を行うことが可能なＩＥＥＥ１３９４シリアルバスに接続されるセットトップボックス、及びＩＥＥＥ１３９４シリアルバスに接続されるコントローラ機器を提供することを目的とする。
【課題を解決するための手段】
【０００６】
上記目的を達成するために、請求項１の発明は、ＩＥＥＥ１３９４用の制御コマンドの送受信が可能なハードディスクレコーダとＩＥＥＥ１３９４シリアルバスを介して接続され、前記ハードディスクレコーダに録画されている番組の再生の指示操作を含む、前記ハードディスクレコーダ及び自機に対する各種指示操作を行うための操作手段と、前記ハードディスクレコーダとの間でＩＥＥＥ１３９４用の制御コマンドとその応答信号の送受信、及びストリームデータの送受信を行うためのＩＥＥＥ１３９４インタフェースとを備えたＩＥＥＥ１３９４シリアルバスに接続されるセットトップボックスにおいて、前記操作手段を用いてユーザにより前記ハードディスクレコーダに録画されている番組の再生の指示操作がなされたときに、前記ＩＥＥＥ１３９４インタフェースを介して前記ハードディスクレコーダのオブジェクトエントリディスクリプタ（以下、エントリディスクリプタと略す）から、その時点で前記ハードディスクレコーダにおいて再生中の番組に関する番組名、開始時間等の番組情報を読み取る番組情報読取手段と、前記番組情報読取手段により有効な番組情報を読み取ることができたか否かを判定する判定手段と、前記判定手段により有効な番組情報を読み取ることができなかったと判定されたときに、前記ハードディスクレコーダから送信された、前記再生中の番組を含むストリームデータから、このストリームデータ中のＥＩＴ（Event Imformation Table）に含まれる、前記再生中の番組に関する番組名、開始時間等の番組情報を取得する番組情報取得手段と、前記番組情報取得手段により取得した番組情報を、前記ハードディスクレコーダのエントリディスクリプタに書き込む番組情報書込手段とをさらに備えたものである。
【０００７】
請求項２の発明は、ＩＥＥＥ１３９４用の制御コマンドの送受信が可能なハードディスクレコーダ又はＤＶＤレコーダ（以下、ディスク型録画装置という）とＩＥＥＥ１３９４シリアルバスを介して接続され、前記ディスク型録画装置に録画されている番組の再生の指示操作を含む、前記ディスク型録画装置及び自機に対する各種指示操作を行うための操作手段と、前記ディスク型録画装置との間でＩＥＥＥ１３９４用の制御コマンドとその応答信号の送受信、及びストリームデータの送受信を行うためのＩＥＥＥ１３９４インタフェースとを備えたＩＥＥＥ１３９４シリアルバスに接続されるコントローラ機器において、前記ＩＥＥＥ１３９４インタフェースを介して前記ディスク型録画装置のオブジェクトエントリディスクリプタ（以下、エントリディスクリプタと略す）から、前記ディスク型録画装置に録画されている番組に関する番組名、開始時間等の番組情報を読み取る番組情報読取手段と、前記ディスク型録画装置に録画されている番組の中に、前記番組情報読取手段により有効な番組情報を読み取ることができなかった番組がある場合に、前記ディスク型録画装置から送信された、前記番組情報を読み取ることができなかった番組を含むストリームデータから、該番組情報を読み取ることができなかった番組に関する番組名、開始時間等の番組情報を取得する番組情報取得手段と、前記番組情報取得手段により取得した番組情報を、前記ディスク型録画装置のエントリディスクリプタに書き込む番組情報書込手段とをさらに備えたものである。
【０００８】
請求項３の発明は、請求項２に記載のＩＥＥＥ１３９４シリアルバスに接続されるコントローラ機器において、前記番組情報取得手段は、前記ディスク型録画装置より送信された、前記番組情報を読み取ることができなかった番組を含むストリームデータ中のＥＩＴ（Event Imformation Table）から、該番組情報を読み取ることができなかった番組に関する番組名、開始時間等の番組情報を取得するものである。
【発明の効果】
【０００９】
請求項１の発明によれば、ハードディスクレコーダのエントリディスクリプタから、その時点でハードディスクレコーダにおいて再生中の番組について、有効な番組情報を読み取ることができなかったときに、ハードディスクレコーダより送信された、上記の再生中の番組を含むストリームデータから、このストリームデータ中のＥＩＴ（Event Imformation Table）に含まれる、再生中の番組に関する番組名、開始時間等の番組情報を取得して、この番組情報をハードディスクレコーダのエントリディスクリプタに書き込む。これにより、ハードディスクレコーダへの録画時に、ハードディスクレコーダのエントリディスクリプタに番組情報を記録できなかった場合でも、後から簡単にエントリディスクリプタに番組情報を記録できる。従って、ユーザが、セットトップボックス側からハードディスクレコーダに録画された番組のリスト（番組リスト）を表示した際に、録画されている全ての番組の番組情報を番組リスト上に表示することができるので、ユーザが番組リスト上の番組情報に基づいて番組の識別を行うことができる。
【００１０】
請求項２の発明によれば、ディスク型録画装置に録画されている番組の中に、有効な番組情報を読み取ることができなかった番組がある場合に、ディスク型録画装置より送信された、上記の番組を含むストリームデータから、上記の番組に関する番組名、開始時間等の番組情報を取得して、この番組情報をディスク型録画装置のエントリディスクリプタに書き込む。これにより、ディスク型録画装置への録画時に、ディスク型録画装置のエントリディスクリプタに番組情報を記録できなかった場合でも、後から簡単にエントリディスクリプタに番組情報を記録できる。従って、ユーザが、コントローラ機器側からディスク型録画装置に録画された番組のリスト（番組リスト）を表示した際に、録画されている全ての番組の番組情報を番組リスト上に表示することができるので、ユーザが番組リスト上の番組情報に基づいて番組の識別を行うことができる。
【００１１】
請求項３の発明によれば、ディスク型録画装置から送信されたストリームデータ中のＥＩＴ（Event Imformation Table）から、番組情報を読み取ることができなかった番組に関する番組名、開始時間等の番組情報を取得するようにしたことにより、上記に記載の効果を的確に得ることができる。
【発明を実施するための最良の形態】
【００１２】
本発明を実施するための最良の形態について図面を参照して説明する。本発明は、ＩＥＥＥ１３９４用のハードディスクレコーダ（いわゆるＡＶＨＤＤ）とＩＥＥＥ１３９４シリアルバスを介して接続可能なコントローラ機器に関するものである。以下の実施形態では、本発明に係るコントローラ機器がセットトップボックスである場合の例について説明する。なお、以下に記載した実施形態は、本発明を網羅するものではなく、本発明は、下記の形態だけに限定されない。
【００１３】
図１は、本実施形態によるセットトップボックスと、このセットトップボックスに接続されたＡＶＨＤＤ、ＤＴＶ（digital television）受像機、及びＤ−ＶＨＳ（Data-Video Home System）ビデオテープレコーダの外観を示す。セットトップボックス（以下、ＳＴＢという）１は、受信した放送信号の中からユーザにより選択されたチャンネルの放送信号を出力するものである。ＡＶＨＤＤ２は、ＩＥＥＥ１３９４用の制御コマンドによってのみ録画や再生を行うことが可能なタイプのハードディスクレコーダである。ＤＴＶ受像機３（以下、ＤＴＶと略す）のモニタ６は、ＡＶＨＤＤ２に録画された番組のリスト等の表示に用いられる。また、ＳＴＢ１とＤＴＶ３との間、ＤＴＶ３とＡＶＨＤＤ２との間、及びＡＶＨＤＤ２とＤ−ＶＨＳビデオテープレコーダ４（以下、Ｄ−ＶＨＳと略す）との間は、ＩＥＥＥ１３９４シリアルバスケーブル５（以下、ケーブルと略す）を用いて接続されている。すなわち、ＳＴＢ１とＤＴＶ３とＡＶＨＤＤ２とＤ−ＶＨＳ４とは、デイジーチェーン方式で接続されている。
【００１４】
次に、図２を参照して、上記のＳＴＢ１とＡＶＨＤＤ２の電気的ブロック構成について説明する。ＳＴＢ１は、装置全体の制御を行うマイクロプロセッサ１１（請求項における番組情報読取手段、判定手段、番組情報取得手段、番組情報書込手段）を備えている。上記のマイクロプロセッサ１１には、チューナ１２、復調部１３、ＤＥＭＵＸ１０、ＩＥＥＥ１３９４インタフェース１４（以下、インタフェースと略す）、赤外線信号受信部１５及びメモリ１６が接続されている。
【００１５】
上記のチューナ１２は、ユーザにより選択されたチャンネルに対応した周波数のディジタルテレビジョン放送信号をアンテナ９を介して受信して、ユーザにより選択されたチャンネルの番組のストリームを含むトランスポートストリームを出力する。復調部１３は、チューナ１２から出力されたトランスポートストリームの信号に対して放送方式に応じた復調を行う。ＤＥＭＵＸ１０は、復調部１３から出力されたトランスポートストリームの中から、ユーザにより選択されたチャンネルの番組のストリームを取り出す。インタフェース１４は、バス４０上の他の装置との間でデータを送受信するためのインタフェース用の回路であり、図１に示されるＡＶＨＤＤ２、ＤＴＶ３、及びＤ−ＶＨＳ４との間でバス４０を介してデータを送受信する。赤外線信号受信部１５は、リモコン２０から送信された赤外線信号形式の指示信号を受信し、その指示信号を通常のディジタル信号に変換してマイクロプロセッサ１１に送る。メモリ１６は、自ノード及び他ノードに関する各種の情報を格納したレジスタ空間１７、及びＡＶＨＤＤ２への録画後にオブジェクトエントリディスクリプタ（以下、エントリディスクリプタと略す）に番組情報を記録するためのプログラムである番組情報記録プログラム１８等のデータを格納している。
【００１６】
リモコン２０（操作手段）は、各種のキーからなるキー部２４と赤外線信号発信部２１とを有している。キー部２４には、電源キー２３、数字入力用のキー２５、カーソルキー２６、確定キー２７に加えて、各種メニューを表示するためのメニューキー２２が配設されている。リモコン２０内の各キーは、ＡＶＨＤＤ２に録画されている番組のリストをＤＴＶ３のモニタ６上に表示させるための指示操作や、ＡＶＨＤＤ２に録画されている番組の再生の指示操作等に用いられる。
【００１７】
また、上記のＡＶＨＤＤ２は、装置全体の制御を行うマイクロプロセッサ３１と、自ノード及び他ノードに関する各種の情報を格納したレジスタ空間２９等のデータを格納するメモリ２８と、バス４０を介してＳＴＢ１等から制御コマンドやストリームデータ等のデータを受信するためのＩＥＥＥ１３９４インタフェース３３（以下、インタフェースと略す）とを有している。また、ＡＶＨＤＤ２は、記録媒体である複数枚のハードディスク３５と、これらのハードディスク３５に対してデータの記録・読取を行う複数の磁気ヘッド３６と、磁気ヘッド３６を駆動するヘッド駆動部３４と、記録するデータ又は読み出したデータを一時的に保存するバッファメモリ３２とを備えている。
【００１８】
次に、図３を参照して、ＡＶＨＤＤ２への録画時に、ＡＶＨＤＤ２のエントリディスクリプタに番組情報を記録できなかった場合に生じる一般的な問題について説明する。Ｄ−ＶＨＳ４側のビデオテープに一旦録画された番組を、ＡＶＨＤＤ２側のハードディスク３５にダビングした場合や、ＡＶＨＤＤ２への番組の録画時に、録画した番組に関する番組情報をエントリディスクリプタに書き込むのに失敗した場合には、ＡＶＨＤＤ２側のエントリディスクリプタに番組情報が記録されない。このため、ユーザが、リモコン２０を用いて、ＳＴＢ１側からＡＶＨＤＤ２側のハードディスクレコーダ３５に録画された番組のリスト（以下、番組リストという）を表示した際に、図３に示されるように、番組リスト５０上に、番組情報５５が初期値のままの番組（図中の番号が２６の番組）が表示されることがある。このような場合には、ユーザは、番組リスト５０上の番組情報５５に基づいて番組の識別を行うことができない。
【００１９】
図４は、上記のエントリディスクリプタを含むオブジェクトリストディスクリプタを示す。オブジェクトリストディスクリプタ６０を構成する各エントリディスクリプタ６１は、ＡＶＨＤＤ２に録画された各番組の番組情報を記録している。これらのエントリディスクリプタ６１に記録された各番組の番組情報に基づいて、ＳＴＢ１側のマイクロプロセッサ１１は、上記の番組リスト５０をＤＴＶ３のモニタ６上に表示させる。
【００２０】
本実施形態によるＳＴＢ１は、図５のフローチャートに示される処理を実行することにより、上記図３の説明で述べた、エントリディスクリプタ６１に番組情報を記録できなかった場合に生じる問題を解消している。すなわち、ユーザが、リモコン２０を用いて、ＳＴＢ１側のマイクロプロセッサ１１に対して、ＡＶＨＤＤ２に録画された番組の再生を指示すると（Ｓ１でＹＥＳ）、ＳＴＢ１側のマイクロプロセッサ１１は、この番組の再生の指示を検知して、ＡＶＨＤＤ２に対して、この番組についての再生コマンドを送信した後に（Ｓ２）、番組情報記録プログラム１８（図２参照）を起動して、この番組情報記録プログラム１８に含まれる命令コードに従って、以下の処理を行う。すなわち、ＳＴＢ１側のマイクロプロセッサ１１は、ＡＶＨＤＤ２における再生中の番組に対応するエントリディスクリプタ６１から、該当の番組の番組情報（番組名、開始時間及びチャンネル番号）を読み取る（Ｓ３）。そして、読み取った番組情報が初期値（番組名が空白で、開始時間及びチャンネル番号が０）である場合、すなわち、エントリディスクリプタ６１に再生中の番組の番組情報が記録されておらず、有効な番組情報を読み取ることができなかった場合には（Ｓ４でＮＯ）、ＡＶＨＤＤ２から送信された、再生中の番組を含むストリームデータから、このストリームデータ中のＥＩＴ（Event Imformation Table）［ｐ／ｆ］に含まれる、再生中の番組に関する番組情報（番組名、開始時間及びチャンネル番号）を取得して（Ｓ５）、取得した番組情報を、ＡＶＨＤＤ２における再生中の番組に対応するエントリディスクリプタ６１に書き込む（Ｓ６）。
【００２１】
上記のように、本実施形態のＳＴＢ１によれば、ＡＶＨＤＤ２のエントリディスクリプタ６１から、その時点でＡＶＨＤＤ２において再生中の番組について、有効な番組情報を読み取ることができなかったときに、ＡＶＨＤＤ２から送信された、上記の再生中の番組を含むストリームデータから、このストリームデータ中のＥＩＴに含まれる、再生中の番組に関する番組名、開始時間等の番組情報を取得して、この番組情報をＡＶＨＤＤ２のエントリディスクリプタ６１に書き込む。これにより、ＡＶＨＤＤ２への録画時に、ＡＶＨＤＤ２のエントリディスクリプタ６１に番組情報を記録できなかった場合でも、後から簡単にエントリディスクリプタ６１に番組情報を記録できる。従って、ユーザが、ＳＴＢ１側からＡＶＨＤＤ２に録画された番組についての番組リスト５０を表示した際に、録画されている全ての番組の番組情報５５を番組リスト５０上に表示することができるようになるので、ユーザが番組リスト５０上の番組情報５５に基づいて番組の識別を行うことができる。
【００２２】
なお、本発明は、上記実施形態に限られるものではなく、様々な変形が可能である。例えば、上記の実施形態では、ユーザが、リモコン２０を用いてＡＶＨＤＤ２に録画された番組の再生を指示した場合に、再生中の番組について、エントリディスクリプタ６１への番組情報の書込処理が自動的に行われるようにしたが、これに限られず、例えば、ＳＴＢ側のリモコン上に、エントリディスクリプタへの番組情報の書き込みを指示するためのキーを設けて、このキーが押されたときに、エントリディスクリプタに番組情報が書き込まれていない番組が存在するか否かを自動的に検知して、番組情報が書き込まれていない番組が存在した場合には、番組情報が書き込まれていない全ての番組について、エントリディスクリプタ６１への番組情報の書込処理が行われるようにしてもよい。
【００２３】
また、上記実施形態では、本発明のコントローラ機器がＳＴＢ１である場合の例を示したが、本発明の適用対象となるコントローラ機器は、これに限られず、例えば、ディジタルテレビジョン受像機、Ｄ−ＶＨＳビデオテープレコーダ等であってもよい。さらにまた、上記実施形態では、番組を録画するディスク型録画装置がＡＶＨＤＤ２である場合の例を示したが、ディスク型録画装置は、これに限られず、例えば、ＤＶＤレコーダ等のディスクサブユニットに含まれるコマンドで制御可能なレコーダであればよい。また、エントリディスクリプタに書き込まれる番組情報は、番組名、開始時間及びチャンネル番号に限られず、ＥＩＴ中の他の番組関連情報を含むものであってもよい。
【図面の簡単な説明】
【００２４】
【図１】本発明の一実施形態に係るセットトップボックスと、このセットトップボックスに接続されたＡＶＨＤＤ、ＤＴＶ受像機、及びＤ−ＶＨＳビデオテープレコーダの外観を示す斜視図。
【図２】上記セットトップボックスとＡＶＨＤＤの電気的ブロック構成図。
【図３】上記ＡＶＨＤＤに録画された番組のリストに表示された番組情報の例を示す図。
【図４】上記ＡＶＨＤＤに録画された番組の番組情報を格納するエントリディスクリプタを示す図。
【図５】上記エントリディスクリプタに番組情報が記録されていない場合に、後からエントリディスクリプタに番組情報を書き込む処理を行う際におけるセットトップボックス側の処理のフローチャート。
【符号の説明】
【００２５】
１    ＳＴＢ（セットトップボックス、コントローラ機器）
２    ＡＶＨＤＤ（ハードディスクレコーダ、ディスク型録画装置）
１１  マイクロプロセッサ（番組情報読取手段、判定手段、番組情報取得手段、番組情報書込手段）
１４  インタフェース（ＩＥＥＥ１３９４インタフェース）
２０  リモコン（操作手段）
６１  エントリディスクリプタ
【図１】
2006134467.tif 000003
【図２】
2006134467.tif 000004
【図３】
2006134467.tif 000005
【図４】
2006134467.tif 000006
【図５】
2006134467.tif 000007